(57)【要約】      （修正有）【課題】天候状態に応じて通信機器を制御することで、悪天候に起因する消費電力の増大を抑制する通信機器、方法、及びプログラムを提供する。【解決手段】通信機器１００は、基地局との無線通信を行う通信部１２０と、通信部を介して天候関連情報を取得する制御部１３０と、取得された天候関連情報を記憶する記憶部１４０を備える。通信機器は、記憶された天候関連情報に基づいて、通信部の無線通信相手とする基地局を選択する。【選択図】図２
2020088621.tif 000002
【特許請求の範囲】
【請求項１】
通信機器であって、
基地局との無線通信を行う通信部と、
前記通信部を介して天候関連情報を取得する制御部と、
前記取得された天候関連情報を記憶する記憶部と、を備え、
前記制御部は、前記記憶された天候関連情報に基づいて、前記通信部の無線通信相手とする基地局を選択する
通信機器。
【請求項２】
前記天候関連情報は、地域ごとの将来の天候状態に関する情報であり、
前記制御部は、
前記無線通信を開始する必要が生じた際に、前記記憶された天候関連情報に基づいて、当該通信機器から、現在の天候状態が悪い悪天候地域への方向を示す悪天候方向を特定する第１の処理と、
前記悪天候方向以外の方向に位置する基地局との無線通信を開始するように前記通信部を制御する第２の処理と、を実行する
請求項１に記載の通信機器。
【請求項３】
前記天候関連情報は、地域ごとの天候状態を示す天候情報と、当該地域の位置を示す位置情報と、を含み、
前記第１の処理は、
前記天候情報に基づいて前記悪天候地域を特定する処理と、
前記悪天候地域に対応する前記位置情報と、当該通信機器の位置とに基づいて、前記悪天候方向を特定する処理と、を含む
請求項２に記載の通信機器。
【請求項４】
前記制御部は、前記無線通信を開始する必要が生じた際に、当該通信機器の周辺が悪天候ではなく、且つ、前記通信部の無線通信範囲内に前記悪天候地域が存在する場合、前記第１の処理及び前記第２の処理を実行する
請求項２又は３に記載の通信機器。
【請求項５】
前記制御部は、前記無線通信を開始する必要が生じた際に、当該通信機器の周辺が悪天候である場合、前記無線通信の開始を保留する
請求項４に記載の通信機器。
【請求項６】
前記制御部は、前記無線通信の開始を保留した後、当該通信機器の周辺が悪天候ではなくなった場合、前記第２の処理を実行する
請求項５に記載の通信機器。
【請求項７】
前記通信部は、指向性が可変な可変指向性アンテナを有し、
前記第２の処理は、前記悪天候方向以外の方向に前記指向性を向ける処理を含む
請求項２乃至６のいずれか１項に記載の通信機器。
【請求項８】
前記第２の処理は、前記悪天候方向以外の方向に前記指向性を向けた状態で、基地局が送信する無線信号をサーチする処理を含む
請求項７に記載の通信機器。
【請求項９】
前記第２の処理は、前記悪天候方向以外の方向に前記指向性を向けた状態で、基地局との無線通信を確立するための無線信号を送信する処理を含む
請求項７に記載の通信機器。
【請求項１０】
前記記憶部は、前記通信部の無線通信範囲内の基地局ごとに、当該基地局の通信周波数を示す周波数情報及び当該基地局の位置を示す基地局位置情報を記憶しており、
前記第２の処理は、
前記基地局位置情報に基づいて、前記悪天候方向に位置する基地局を特定する処理と、
前記周波数情報に基づいて、前記悪天候方向に位置する基地局の通信周波数を使用しないように前記通信部を制御する処理と、を含む
請求項２乃至６のいずれか１項に記載の通信機器。
【請求項１１】
前記第２の処理は、前記悪天候方向に位置する基地局の通信周波数以外の周波数において、基地局が送信する無線信号をサーチする処理を含む
請求項１０に記載の通信機器。
【請求項１２】
前記第２の処理は、前記悪天候方向に位置する基地局の通信周波数以外の周波数において、基地局との無線通信を確立するための無線信号を送信する処理を含む
請求項１０に記載の通信機器。
【請求項１３】
基地局との無線通信を行う通信部を有する通信機器を制御するための方法であって、
前記通信部を介して天候関連情報を取得するステップと、
前記取得された天候関連情報を記憶するステップと、
前記記憶された天候関連情報に基づいて、前記通信部の無線通信相手とする基地局を選択するステップと、を備える
方法。
【請求項１４】
基地局との無線通信を行う通信部を有する通信機器に、
前記通信部を介して天候関連情報を取得するステップと、
前記取得された天候関連情報を記憶するステップと、
前記記憶された天候関連情報に基づいて、前記通信部の無線通信相手とする基地局を選択するステップと、を実行させる
プログラム。
【発明の詳細な説明】
【技術分野】
【０００１】
本発明は、通信機器、方法、及びプログラムに関する。
【背景技術】
【０００２】
特許文献１には、降雨センサの出力、ＧＰＳ誤差、又は気象庁の地域気象観測システムの降雨情報に基づいて、電波の降雨減衰量を推定し、推定された降雨減衰量に応じて送信電力を決定する基地局が記載されている。
【０００３】
この基地局は、決定された送信電力を通信機器（端末機器）に対して報知する。その結果、基地局及び通信機器は、降雨現象が発生している間は送信電力を増大させ、降雨現象がなくなったら送信電力を元に戻す。
【先行技術文献】
【特許文献】
【０００４】
【特許文献１】特開平１０−６５５９６号公報
【発明の概要】
【発明が解決しようとする課題】
【０００５】
ところで、近年では、ＩｏＴ（Ｉｎｔｅｒｎｅｔ  ｏｆ  Ｔｈｉｎｇｓ）技術の発展に伴い、数十ｋｍといった遠距離の無線通信を低消費電力で実現するＬＰＷＡ（Ｌｏｗ  Ｐｏｗｅｒ  Ｗｉｄｅ  Ａｒｅａ）通信方式が注目されている。ＬＰＷＡ通信方式を用いる通信機器は、その無線通信範囲内に、天候が悪い地域（悪天候地域）とそうではない地域とが混在する場合がある。
【０００６】
このため、通信機器の周辺の天候状態が良い場合であっても、悪天候地域にある基地局との無線通信を通信機器が行うと、特許文献１に記載のように通信機器の送信電力を増大させる必要がありうる。よって、通信機器の送信電力の増大に応じて通信機器の消費電力も増大するという問題がある。
【０００７】
そこで、本発明は、悪天候に起因する消費電力の増大を抑制可能な通信機器、方法、及びプログラムを提供することを目的とする。
【課題を解決するための手段】
【０００８】
第１の態様に係る通信機器は、基地局との無線通信を行う通信部と、前記通信部を介して天候関連情報を取得する制御部と、前記取得された天候関連情報を記憶する記憶部とを備える。前記制御部は、前記記憶された天候関連情報に基づいて、前記通信部の無線通信相手とする基地局を選択する。
【０００９】
第２の態様に係る方法は、基地局との無線通信を行う通信部を有する通信機器を制御するための方法である。前記方法は、前記通信部を介して天候関連情報を取得するステップと、前記取得された天候関連情報を記憶するステップと、前記記憶された天候関連情報に基づいて、前記通信部の無線通信相手とする基地局を選択するステップとを備える。
【００１０】
第３の態様に係るプログラムは、基地局との無線通信を行う通信部を有する通信機器に、前記通信部を介して天候関連情報を取得するステップと、前記取得された天候関連情報を記憶するステップと、前記記憶された天候関連情報に基づいて、前記通信部の無線通信相手とする基地局を選択するステップとを実行させる。
【発明の効果】
【００１１】
本発明の一態様によれば、悪天候に起因する消費電力の増大を抑制可能な通信機器、方法、及びプログラムを提供できる。
【図面の簡単な説明】
【００１２】
【図１】一実施形態に係る通信システムの構成例を示す図である。
【図２】一実施形態に係る通信機器の構成を示す図である。
【図３】一実施形態に係る通信機器がサーバから取得する天候関連情報の一例を示す図である。
【図４】一実施形態に係る通信機器がサーバから取得する天候関連情報の他の例を示す図である。
【図５】一実施形態に係る通信機器の動作を示す図である。
【図６】図５のステップＳ７の具体例を示す図である。
【図７】一実施形態に係る第２の処理の変更例における基地局情報の一例を示す図である。
【図８】一実施形態に係る第２の処理の変更例に係る動作の具体例を示す図である。
【発明を実施するための形態】
【００１３】
図面を参照して実施形態について説明する。図面の記載において、同一又は類似の部分には同一又は類似の符号を付している。
【００１４】
（システム構成例）
図１は、一実施形態に係る通信システム１の構成例を示す図である。
【００１５】
図１に示すように、通信システム１は、通信機器１００と、通信ネットワーク２００と、サーバ３００とを有する。
【００１６】
通信機器１００は、例えば、各種センサを有するセンサ機器であって、且つ通信ネットワーク２００を介して通信を行う通信機能を有する。例えば、通信機器１００は、各種センサにより得られる測定情報を、通信ネットワーク２００を介して送信する。
【００１７】
通信ネットワーク２００は、通信機器１００との無線通信を行う基地局２１０と、高域通信網（ＷＡＮ：Ｗｉｄｅ  Ａｒｅａ  Ｎｅｔｗｏｒｋ）とを含む。通信ネットワーク２００は、インターネットをさらに含んでもよい。図１において、通信ネットワーク２００に含まれる基地局２１０を１つのみ例示しているが、通信ネットワーク２００には複数の基地局２１０が含まれるものとする。
【００１８】
通信機器１００は、ＬＰＷＡ（Ｌｏｗ  Ｐｏｗｅｒ  Ｗｉｄｅ  Ａｒｅａ）方式の無線通信を通信ネットワーク２００と行う。ＬＰＷＡ方式は、消費電力を抑えつつ、数十ｋｍといった遠距離の無線通信を実現する方式である。
【００１９】
ＬＰＷＡ方式は、例えば、セルラＬＰＷＡ、ＳＩＧＦＯＸ、又はＬｏＲａＷＡＮである。セルラＬＰＷＡは、３ＧＰＰ（３ｒｄ  Ｇｅｎｅｒａｔｉｏｎ  Ｐａｒｔｎｅｒｓｈｉｐ  Ｐｒｏｊｅｃｔ）規格において規定されたｅＭＴＣ（ｅｎｈａｎｃｅｄ  Ｍａｃｈｉｎｅ  Ｔｙｐｅ  Ｃｏｍｍｕｎｉｃａｔｉｏｎｓ）又はＮＢ−ＩｏＴ（Ｎａｒｒｏｗ  Ｂａｎｄ−Ｉｎｔｅｒｎｅｔ  ｏｆ  Ｔｈｉｎｇｓ）であってもよい。以下において、ＬＰＷＡ方式としてセルラＬＰＷＡを用いる場合を主として想定する。
【００２０】
通信機器１００は、例えば、屋外又は屋内に設置されるセンサ機器である。通信機器１００が屋外に設置される場合、通信機器１００は、自機器に設けられるバッテリにより駆動される。通信機器１００が屋内に設置される場合、通信機器１００は、自機器に設けられるバッテリから供給される電力で駆動されてもよいし、商用電源（ＡＣ電源）から供給される電力で駆動されてもよい。
【００２１】
ＬＰＷＡ通信方式を用いる通信機器１００は、基本的には無線通信を行わない省電力状態にあり、基地局２１０との無線通信を行うときにだけ省電力状態から通信状態に遷移して無線通信を行う。省電力状態では、無線通信を行う通信部１２０（図２を参照）への給電を停止できるため、通信機器１００のバッテリ駆動時間を延ばすことができる。
【００２２】
サーバ３００は、通信ネットワーク２００に接続される装置である。サーバ３００は、通信ネットワーク２００を介して通信機器１００との通信を行うことにより、通信機器１００から各種情報を収集及び蓄積する。
【００２３】
一実施形態において、サーバ３００は、天候関連情報を通信機器１００に提供する。天候関連情報は、通信機器１００の設置位置及び基地局２１０の設置位置を含むエリア内の地域ごとの将来の天候状態に関する情報である。
【００２４】
ＬＰＷＡ通信方式を用いる通信機器１００は、その無線通信範囲内に、天候が悪い地域（悪天候地域）とそうではない地域とが混在する場合がある。天候が悪い地域とは、無線信号（電波）の減衰が大きい地域をいい、例えば降雨現象又は降雪現象が発生している地域をいう。
【００２５】
このため、通信機器１００の周辺の天候状態が良い場合であっても、悪天候地域にある基地局２１０との無線通信を通信機器１００が行うと、通信機器１００の送信電力を増大させる等の措置が必要になり、通信機器１００の消費電力が増大する。
【００２６】
一実施形態において、通信機器１００は、通信状態において、基地局２１０を介してサーバ３００との通信を行うことにより、サーバ３００から天候関連情報を取得し、取得された天候関連情報を記憶する。
【００２７】
そして、通信状態から省電力状態に遷移した後、通信機器１００は、無線通信を開始する必要が生じた際に、記憶された天候関連情報に基づいて、通信部１２０の無線通信相手とする基地局２１０を選択する。これにより、通信機器１００は、悪天候地域にある基地局２１０との無線通信を開始することを回避できるため、悪天候に起因する通信機器１００の消費電力の増大を抑制可能とすることができる。
【００２８】
（通信機器の構成例）
図２は、一実施形態に係る通信機器１００の構成を示す図である。
【００２９】
図２に示すように、通信機器１００は、通信部１２０と、制御部１３０と、記憶部１４０と、電源管理部１５０と、位置センサ１６０と、各種センサ１７０とを有する。
【００３０】
通信部１２０は、基地局２１０との無線通信を行うとともに、通信ネットワーク２００を介してサーバ３００との通信を行う。通信部１２０は、アンテナ１１０と、ＬＰＷＡ通信部１２１とを含む。
【００３１】
アンテナ１１０は、無線信号の送受信に用いられる。一実施形態において、アンテナ１１０は、指向性が可変な可変指向性アンテナである。例えば、可変指向性アンテナは、複数のアンテナ素子と、アンテナ素子ごとにアンテナウェイトにより重み付けを行う重み付け部とを有する。アンテナウェイトは、信号の位相及び振幅を調整するための重み係数である。アンテナ素子ごとにアンテナウェイトにより重み付けを行うことにより、アンテナ感度が最も高い方向であるビーム及び／又はアンテナ感度が最も低い方向であるヌルを可変制御できる。
【００３２】
或いは、可変指向性アンテナは、互い異なる方向に指向性を有する複数の指向性アンテナと、これらの複数の指向性アンテナのうち無線通信に用いる指向性アンテナを切り替えるアンテナ切替部とを有する構成であってもよい。無線通信に用いる指向性アンテナを切り替えることにより、指向性を向ける方向を可変制御できる。
【００３３】
或いは、可変指向性アンテナは、１つの指向性アンテナと、この１つの指向性アンテナを物理的に駆動（例えば回転駆動）するアクチュエータとを有する構成であってもよい。指向性アンテナを物理的に駆動することにより、指向性を向ける方向を可変制御できる。
【００３４】
ＬＰＷＡ通信部１２１は、通信ネットワーク２００に含まれる基地局２１０とのＬＰＷＡ通信を行う。ＬＰＷＡ通信部１２１は、アンテナ１１０が基地局２１０から受信した無線信号に対して増幅処理及びフィルタ処理等を行い、無線信号をベースバンド信号に変換して制御部１３０に出力する。また、ＬＰＷＡ通信部１２１は、制御部１３０から入力されたベースバンド信号を無線信号に変換し、増幅処理等を行ってアンテナ１１０から送信する。
【００３５】
制御部１３０は、通信機器１００における各種の処理及び制御を行う。例えば、制御部１３０は、位置情報及び／又は測定情報を取得するように位置センサ１６０及び／又は各種センサ１７０を制御し、取得された位置情報及び／又は測定情報をサーバ３００に送信（アップロード）するように通信部１２０を制御してもよい。制御部１３０は、少なくとも１つのプロセッサを含む。プロセッサは、ベースバンドプロセッサと、ＣＰＵ（Ｃｅｎｔｒａｌ  Ｐｒｏｃｅｓｓｉｎｇ  Ｕｎｉｔ）とを含んでもよい。ベースバンドプロセッサは、ベースバンド信号の変調・復調及び符号化・復号等を行う。ＣＰＵは、記憶部１４０に記憶されたプログラムを実行して各種の処理を行う。
【００３６】
記憶部１４０は、揮発性メモリ及び不揮発性メモリを含む。記憶部１４０は、制御部１３０により実行されるプログラム、及び制御部１３０による処理に用いられる情報を記憶する。記憶部１４０には、通信機器１００の機能及び動作を設定する設定情報が記憶されていてもよい。
【００３７】
例えば、設定情報は、各種センサ１７０により得られる測定情報の送信条件を設定するための情報を含んでもよい。この情報は、各種センサ１７０により得られる測定情報をサーバ３００にアップロードすべき時刻又は周期を設定する情報であってもよいし、特定の測定情報をサーバ３００にアップロードすべき条件としての閾値を設定する情報であってもよい。制御部１３０は、設定情報に応じて定まるタイミングにおいて、各種センサ１７０により得られる測定情報を、通信部１２０を介してアップロードする。
【００３８】
また、設定情報は、各種センサ１７０のうち有効又は無効にするセンサを設定するための情報、すなわち、サーバ３００にアップロードすべき測定情報の種類を設定する情報を含んでもよい。例えば、各種センサ１７０が温度センサ、湿度センサ、気圧センサ、磁場センサ（地磁気センサ）、及び加速度センサを含む場合において、アップロードすべき測定情報として温度及び湿度が設定される。この場合、制御部１３０は、設定情報に基づいて、湿度センサ及び気圧センサを有効（オン）にし、気圧センサ、磁場センサ、及び加速度センサを無効（オフ）にする。
【００３９】
また、記憶部１４０は、通信機器１００がサーバ３００にアクセスするために、サーバ３００のアドレス（例えば、ＩＰアドレス）を記憶している。
【００４０】
電源管理部１５０は、バッテリ及びその周辺回路を含む。電源管理部１５０は、通信機器１００の駆動電力を供給する。バッテリは、通信機器１００に着脱可能な使い捨てのタイプであってもよいし、充電が可能な蓄電池（二次電池）であってもよい。なお、通信機器１００が外部からの給電を受ける場合、電源管理部１５０は、外部から供給される電力を変換する回路により構成されてもよい。
【００４１】
位置センサ１６０は、通信機器１００の位置を示す位置情報を取得するためのセンサである。例えば、位置センサ１６０は、ＧＮＳＳ受信機を含んで構成される。ＧＮＳＳ受信機は、ＧＰＳ（Ｇｌｏｂａｌ  Ｐｏｓｉｔｉｏｎｉｎｇ  Ｓｙｓｔｅｍ）受信機、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）受信機、ＩＲＮＳＳ（Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ）受信機、ＣＯＭＰＡＳＳ受信機、Ｇａｌｉｌｅｏ受信機、ＱＺＳＳ（Ｑｕａｓｉ−Ｚｅｎｉｔｈ  Ｓａｔｅｌｌｉｔｅｓ  Ｓｙｓｔｅｍ）受信機等を含んでもよい。位置センサ１６０は、制御部１３０の制御下で位置情報（緯度・経度情報）を取得し、取得された位置情報を制御部１３０に出力する。
【００４２】
各種センサ１７０は、温度センサ、湿度センサ、気圧センサ、磁場センサ（地磁気センサ）、照度センサ（日射センサ）、加速度センサ、近接センサのうち少なくとも１つを含む。また、各種センサ１７０は、降雨センサ及び降雪センサのうち少なくとも１つを含んでもよい。各種センサ１７０は、制御部１３０の制御下で測定を行い、測定により得られた測定情報を制御部１３０に出力する。
【００４３】
（天候関連情報の一例）
図３は、通信機器１００がサーバ３００から取得する天候関連情報の一例を示す図である。
【００４４】
図３に示すように、天候関連情報は、将来の天候状態に関する情報である。図３において、天候関連情報は、将来の時間帯別に構成されている。具体的には、天候関連情報は、将来の時間帯Ｘに対応する天候関連情報と、時間帯Ｘの次の時間帯Ｘ＋１に対応する天候関連情報と、時間帯Ｘ＋１の次の時間帯Ｘ＋２に対応する天候関連情報とを含む。
【００４５】
また、天候関連情報は、通信機器１００の設置位置及び基地局２１０の設置位置を含むエリア内の地域ごとの天候状態に関する情報である。このエリアは、任意の単位のエリアであってよいが、例えば、都道府県単位のエリア、又は、関東地方や甲信越地方といった地方単位のエリアとすることができる。また、エリア内の地域は、任意の単位の地域であってよいが、例えば、エリアが都道府県単位である場合は、市町村単位の地域とすることができ、エリアが地方単位である場合は、都道府県単位の地域とすることができる。図３において、エリアが５つの地域（地域＃１乃至＃５）に区分される一例を示している。
【００４６】
天候関連情報は、地域ごとの天候状態を示す天候情報と、当該地域の位置を示す位置情報とを含んでもよい。天候状態を示す天候情報は、例えば、晴れ、曇り、雨、雪といった詳細な天候情報であってもよいし、良い又は悪いといった大まかな天候情報であってもよい。地域の位置を示す位置情報は、この地域の代表的な位置（例えば、この地域の中心位置）を示す緯度・経度情報であってもよい。
【００４７】
通信機器１００の制御部１３０は、通信部１２０を介して、図３に示すような天候関連情報をサーバ３００から取得すると、取得された天候関連情報を記憶部１４０に記憶させる。
【００４８】
通信機器１００の制御部１３０は、無線通信を開始する必要が生じた際に、記憶部１４０に記憶された天候関連情報に基づいて、通信機器１００から悪天候地域（現在の天候状態が悪い地域）への方向を示す悪天候方向を特定する第１の処理を行う。
【００４９】
第１の処理は、天候関連情報に含まれる天候情報に基づいて悪天候地域を特定する処理と、悪天候地域に対応する位置情報と、通信機器１００の位置とに基づいて、悪天候方向を特定する処理とを含む。
【００５０】
そして、通信機器１００の制御部１３０は、特定された悪天候方向以外の方向に位置する基地局２１０との無線通信を開始するように通信部１２０を制御する第２の処理を行う。
【００５１】
図４は、通信機器１００がサーバ３００から取得する天候関連情報の他の例を示す図である。
【００５２】
図４に示す天候関連情報は、時間帯別に構成される点で図３と共通している。但し、図４に示す天候関連情報は、通信機器１００が利用しやすいように、図３に示す天候関連情報をサーバ３００側で加工したものである。
【００５３】
具体的には、図４に示す天候関連情報は、通信機器１００の周辺の天候情報と、通信機器１００を中心とした方向（東西南北）ごとの天候情報とを含む。
【００５４】
通信機器１００の制御部１３０は、通信部１２０を介して、図４に示すような天候関連情報をサーバ３００から取得すると、取得された天候関連情報を記憶部１４０に記憶させる。
【００５５】
通信機器１００の制御部１３０は、無線通信を開始する必要が生じた際に、記憶部１４０に記憶された天候関連情報に基づいて、通信機器１００から悪天候地域（現在の天候状態が悪い地域）への方向を示す悪天候方向を特定する第１の処理を行う。そして、通信機器１００の制御部１３０は、特定された悪天候方向以外の方向に位置する基地局２１０との無線通信を開始するように通信部１２０を制御する第２の処理を行う。
【００５６】
（通信機器の動作例）
図５は、一実施形態に係る通信機器１００の動作を示す図である。
【００５７】
図５に示すように、ステップＳ１において、制御部１３０は、通信機器１００が通信状態にある間に、通信部１２０を介して、図３又は図４に示すような天候関連情報をサーバ３００から取得する。
【００５８】
ステップＳ２において、制御部１３０は、ステップＳ１で取得された天候関連情報を記憶部１４０に記憶させる。また、制御部１３０は、通信機器１００の状態を通信状態から省電力状態に遷移させる。なお、省電力状態では、通信部１２０への給電が停止される。
【００５９】
ステップＳ３において、制御部１３０は、基地局２１０との無線通信を開始する必要が生じたか否かを確認する。例えば、制御部１３０は、記憶部１４０に記憶された設定情報により定められる測定情報の送信条件が満たされたか否かを確認する。
【００６０】
基地局２１０との無線通信を開始する必要が生じた場合（ステップＳ３：ＹＥＳ）、ステップＳ４において、制御部１３０は、ステップＳ２で記憶部１４０に記憶された天候関連情報に基づいて、通信機器１００の周辺が悪天候であるか否かを判定する。例えば、制御部１３０は、記憶部１４０に記憶された天候関連情報のうち、現在の時刻が属する時間帯に対応する天候関連情報を抽出し、取得された天候関連情報の中から通信機器１００の位置が属する地域の天候情報を抽出することにより、通信機器１００の周辺が悪天候であるか否かを判定する。
【００６１】
或いは、制御部１３０は、悪天候時はＧＮＳＳ誤差が生じるという性質を利用し、位置センサ（ＧＮＳＳ受信機）１６０の誤差に基づいて、通信機器１００の周辺が悪天候であるか否かを判定してもよい。例えば、制御部１３０は、悪天候ではないときに位置センサ１６０により取得された位置情報を正解データとして記憶部１４０に予め記憶させておく。そして、制御部１３０は、位置センサ１６０により現在取得された位置情報を正解データと比較し、それらの差分（すなわち、誤差）が閾値以上である場合、通信機器１００の周辺が悪天候であると判定する。
【００６２】
或いは、通信機器１００が屋外に設置されており、且つ各種センサ１７０が降雨センサ及び降雪センサのうち少なくとも１つを含む場合、制御部１３０は、降雨センサ及び降雪センサのうち少なくとも１つの測定情報に基づいて、通信機器１００の周辺が悪天候であるか否かを判定してもよい。
【００６３】
通信機器１００の周辺が悪天候であると判定された場合（ステップＳ４：ＹＥＳ）、ステップＳ５において、制御部１３０は、無線通信の開始を保留する。制御部１３０は、省電力状態を維持することにより、無線通信の開始を保留してもよい。
【００６４】
無線通信の開始が保留された後、ステップＳ６において、制御部１３０は、通信機器１００の周辺が悪天候ではなくなったか否かを判定する。ここでの判定方法は、ステップＳ４における判定方法と同様の方法を利用できる。通信機器１００の周辺が悪天候ではなくなったと判定された場合（ステップＳ６：ＹＥＳ）、ステップＳ７に処理が進む。
【００６５】
通信機器１００の周辺が悪天候ではないと判定された場合（ステップＳ４：ＮＯ、ステップＳ６：ＹＥＳ）、ステップＳ７において、制御部１３０は、記憶部１４０に記憶された天候関連情報に基づいて、通信部１２０の無線通信相手とする基地局２１０を選択する。
【００６６】
ステップＳ７は、記憶部１４０に記憶された天候関連情報に基づいて、通信機器１００から悪天候地域（現在の天候状態が悪い地域）への方向を示す悪天候方向を特定する第１の処理（ステップＳ７１）と、特定された悪天候方向以外の方向に位置する基地局２１０との無線通信を開始するように通信部１２０を制御する第２の処理（ステップＳ７２）とを含む。第１の処理（ステップＳ７１）は、記憶部１４０に記憶された天候関連情報に含まれる天候情報に基づいて悪天候地域を特定する処理と、特定された悪天候地域に対応する位置情報と通信機器１００の位置とに基づいて、悪天候方向を特定する処理とを含んでもよい。
【００６７】
なお、制御部１３０は、通信機器１００の周辺が悪天候ではなく、且つ、通信部１２０の無線通信範囲内に悪天候地域が存在する場合に限り、第２の処理を実行してもよい。例えば、制御部１３０は、通信機器１００の周辺を含む無線通信範囲の全体が晴れ又は曇りであるような場合、悪天候地域及び悪天候方向が存在しないとみなして、悪天候地域及び悪天候方向に基づく基地局２１０の選択を行わなくてもよい。
【００６８】
一実施形態において、第２の処理は、第１の処理により特定された悪天候方向以外の方向に指向性を向ける処理を含んでもよい。具体的には、制御部１３０は、第１の処理により特定された悪天候方向以外の方向に指向性を向けるように通信部１２０のアンテナ（可変指向性アンテナ）１１０を制御する。
【００６９】
また、第２の処理は、第１の処理により特定された悪天候方向以外の方向に指向性を向けた状態で、基地局２１０が送信する無線信号をサーチする処理を含んでもよい。具体的には、制御部１３０は、第１の処理により特定された悪天候方向以外の方向に指向性を向けるように通信部１２０のアンテナ（可変指向性アンテナ）１１０を制御しつつ、基地局２１０が送信する無線信号をサーチするように通信部１２０を制御する。このようなサーチは、基地局サーチ又はセルサーチと呼ばれる。
【００７０】
例えば、サーチ対象の無線信号は、基地局２１０が送信する同期信号を含む。このようなサーチにより基地局２１０との同期が確立され、この基地局２１０との無線通信を開始することが可能な状態になる。
【００７１】
さらに、第２の処理は、第１の処理により特定された悪天候方向以外の方向に指向性を向けた状態で、基地局２１０との無線通信を確立するための無線信号を送信する処理を含んでもよい。具体的には、制御部１３０は、第１の処理により特定された悪天候方向以外の方向に指向性を向けるように通信部１２０のアンテナ（可変指向性アンテナ）１１０を制御しつつ、基地局２１０との無線通信を確立するための無線信号を送信するように通信部１２０を制御する。セルラＬＰＷＡにおいて、このような無線信号の送信を含むプロシージャは、ランダムアクセスプロシージャと呼ばれる。
【００７２】
例えば、基地局２１０との無線通信を確立するための無線信号は、セルラＬＰＷＡで用いるランダムアクセス信号（ランダムアクセスプリアンブル）及び／又は接続要求メッセージを含む。このような無線信号の送信により基地局２１０が通信機器１００を検知し、通信機器１００に対する無線リソースの割り当て等がなされるため、通信機器１００が基地局２１０に対して各種データ（測定情報等）を送信可能な状態になる。
【００７３】
その後、ステップＳ８において、制御部１３０は、ステップＳ７で選択された基地局２１０との無線通信を行う。例えば、制御部１３０は、通信機器１００の状態を通信状態に遷移させた後、基地局２１０との無線通信を行うように通信部１２０を制御するとともに、通信部１２０を介して各種データ（測定情報等）をサーバ３００に送信（アップロード）する。ここで、制御部１３０は、最新の天候関連情報（更新された天候関連情報）をサーバ３００から取得し、取得された天候関連情報を記憶部１４０に記憶させてもよい。
【００７４】
図６は、図５のステップＳ７の具体例を示す図である。
【００７５】
図６に示すように、通信機器１００の無線通信範囲内に３つの基地局２１０ａ乃至２１０ｃが設置されている。基地局２１０ａは通信機器１００の西方向に位置し、基地局２１０ｂは通信機器１００の南方向に位置し、基地局２１０ｃは通信機器１００の東方向に位置する。図６において、通信機器１００の位置周辺は悪天候ではないが、通信機器１００の西方向から南方向にわたって悪天候地域が存在している。
【００７６】
このような状況下において、通信機器１００の制御部１３０は、記憶部１４０に記憶された天候関連情報に基づいて、悪天候方向として西方向及び南方向を特定し、特定された悪天候方向以外の方向である東方向及び北方向に位置する基地局２１０との無線通信を開始するように通信部１２０を制御する。具体的には、制御部１３０は、東方向及び北方向に指向性を向けるように通信部１２０のアンテナ（可変指向性アンテナ）１１０を制御することにより、東方向及び北方向に指向性パターンを形成する。
【００７７】
通信機器１００は、このような指向性パターンが形成された状態で基地局サーチ及び／又はランダムアクセスプロシージャを行うことにより、通信機器１００の東方向に位置する基地局２１０ｃを無線通信相手として選択し、基地局２１０ｃとの無線通信を開始できる。
【００７８】
（第２の処理の変更例）
上述した実施形態において、通信機器１００が可変指向性アンテナを有する一例について説明したが、通信機器１００が可変指向性アンテナを有していないこともある。可変指向性アンテナを有していない通信機器１００は、次のようにして無線通信相手とする基地局２１０を選択してもよい。
【００７９】
本変更例において、通信機器１００の記憶部１４０は、図７に示すような基地局情報を記憶している。基地局情報は、通信部１２０の無線通信範囲内の基地局２１０ごとに、当該基地局２１０の通信周波数を示す周波数情報と、当該基地局２１０の位置を示す基地局２１０位置情報とを含む。
【００８０】
通信機器１００の制御部１３０は、第２の処理（図５のステップＳ７２）において、図７に示す基地局位置情報に基づいて、悪天候方向に位置する基地局２１０を特定する処理と、図７に示す周波数情報に基づいて、悪天候方向に位置する基地局２１０の通信周波数を使用しないように通信部１２０を制御する処理とを実行する。
【００８１】
例えば、通信機器１００の制御部１３０は、第２の処理において、悪天候方向に位置する基地局２１０の通信周波数以外の周波数において、基地局２１０が送信する無線信号をサーチするように通信部１２０を制御してもよい。
【００８２】
また、通信機器１００の制御部１３０は、第２の処理において、悪天候方向に位置する基地局２１０の通信周波数以外の周波数において、基地局２１０との無線通信を確立するための無線信号を送信するように通信部１２０を制御してもよい。
【００８３】
図８は、本変更例に係る動作の具体例を示す図である。
【００８４】
図８に示すように、通信機器１００と３つの基地局２１０ａ乃至２１０ｃとの位置関係及び悪天候地域については、図６と同じである。但し、基地局２１０ａは通信周波数ｆ１を使用し、基地局２１０ｂは通信周波数ｆ２を使用し、基地局２１０ｃは通信周波数ｆ３を使用している。
【００８５】
このような状況下において、通信機器１００の制御部１３０は、記憶部１４０に記憶された天候関連情報に基づいて、悪天候方向以外の方向である東方向及び北方向に位置する基地局２１０ｃを特定する。そして、通信機器１００の制御部１３０は、特定された基地局２１０ｃの通信周波数ｆ３を使用するように通信部１２０を制御する。
【００８６】
通信機器１００は、通信周波数ｆ３を使用しつつ、基地局サーチ及び／又はランダムアクセスプロシージャを行うことにより、通信機器１００の東方向に位置する基地局２１０ｃを無線通信相手として選択するとともに基地局２１０ｃとの無線通信を開始できる。
【００８７】
なお、本変更例において、通信機器１００が可変指向性アンテナを有していないことを前提として説明した。しかしながら、可変指向性アンテナを有する通信機器１００が、上述した実施形態に係る動作と本変更例に係る動作との両方を行ってもよい。
【００８８】
（その他の実施形態）
上述した実施形態において、通信機器１００が、各種センサを有するセンサ機器である一例について説明した。しかしながら、各通信機器１００は、センサ機器に限定されるものではなく、通信機能を有しており、且つ、ある位置に設置される機器であればどのような機器であってもよい。
【００８９】
また、上述した実施形態において、通信機器１００が、通信状態から省電力状態に遷移した後、無線通信を開始する必要が生じた際に、記憶された天候関連情報に基づいて、通信部１２０の無線通信相手とする基地局２１０を選択する一例について説明した。しかしながら、通信機器１００は、無線通信を開始した後の通信状態において、記憶された天候関連情報に基づいて、通信部１２０の無線通信相手とする基地局２１０を再選択（すなわち、変更）してもよい。この場合、通信機器１００は、通信状態において、地域ごとの現在の天候状態に関する天候関連情報をサーバ３００から取得し、取得された天候関連情報を一時的に記憶しつつ、現在の天候状態に応じて通信部１２０の無線通信相手とする基地局２１０を再選択（変更）してもよい。
【００９０】
通信機器１００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。また、通信機器１００が行う各処理を実行する機能部（回路）を集積化し、通信機器１００を半導体集積回路（チップセット、ＳｏＣ）として構成してもよい。
【００９１】
以上、図面を参照して実施形態について詳しく説明したが、具体的な構成は上述のものに限られることはなく、要旨を逸脱しない範囲内において様々な設計変更等をすることが可能である。
【符号の説明】
【００９２】
１        ：通信システム
１００    ：通信機器
１１０    ：アンテナ
１２０    ：通信部
１２１    ：ＬＰＷＡ通信部
１３０    ：制御部
１４０    ：記憶部
１５０    ：電源管理部
１６０    ：位置センサ
１７０    ：各種センサ
２００    ：通信ネットワーク
２１０    ：基地局
３００    ：サーバ
【図１】
2020088621.tif 000003
【図２】
2020088621.tif 000004
【図３】
2020088621.tif 000005
【図４】
2020088621.tif 000006
【図５】
2020088621.tif 000007
【図６】
2020088621.tif 000008
【図７】
2020088621.tif 000009
【図８】
2020088621.tif 000010